(57)【要約】      （修正有）【課題】数トン以上の石材を輸送するために、石材の色々の大きさに対応でき、簡便でかつ安全に吊り下げるスリングベルトを提供する。【解決手段】両端アイ形のスリングベルトを相互に貫通と被貫通させて井桁構造にすることにより石材を受け止める部分と吊り下げる部分を連続したスリングベルトで形成させる。井桁構造の中央部に四角形を形成し、その大きさを可変性にする。【選択図】図１
0003129702.tif 000002
【実用新案登録請求の範囲】
【請求項１】
両端アイ形スリングベルトの一端のアイ部分に別のスリングベルトが貫通し、もう一方の端のアイ部分は、別のスリングベルトのアイ部分を貫通してなる４本のスリングベルトによって井桁構造を形成させた新規なスリングベルト
【請求項２】
４本の両端アイ形のスリングベルトのアイ部分が、相互に貫通と被貫通によって、中央部に四角形を形成させ、かつ四角形の大きさが可変構造を有する新規なスリングベルト
【請求項３】
スリングベルトの素材が、芳香族ポリアミド或いは芳香族ポリエステルである請求項１及び２の新規な構造のスリングベルト
【考案の詳細な説明】
【技術分野】
【０００１】本考案は、石材、コンクリート材、金属材等の重量物を吊り下げるスリングベルトにおいて、色々の大きさの重量物の吊り下げに対応できる可変性井桁構造のスリングベルトに関する。
【背景技術】
【０００２】一般に、スリングベルトには、両端アイ形やエンドレス形があり、ストレート吊り、チョーク吊り、バスケット吊りとして使用されている。両端アイ形やエンドレス形のスリングベルトが、１本ずつ単独で使用され、円柱の重量物では重心を挟んで２本のスリングベルトを掛けて吊り下げている。特殊仕様品としては、縫製したモッコ形も知られている。しかし、大きさの異なる球形の石材や色々の形状のオブジェの運搬に当って便利なスリングベルとはなかった。【０００３】先行特許について、特許電子図書館において、スリングベルトをキーワードとして特許と実用新案を検索すると特許が９件、実用新案３件が検索された。その中には、スリングベルトのつなぎ方に関するものが３件（特許文献１）、スリングベルトの保持金具に関するものが１件（特許文献２）、スリングベルトの材質に関するもの（特許文献３）が１件あった。これらは、本考案には関連のない特許である。その他に、スリングベルトを建材や船艇の昇降装置のような特殊な用途に関する特許と実用新案が５件あった。【０００４】残りの２件は、金型等の物品を搬送する特許（特許文献４）とワンタッチで脱着させる特許（特許文献５）であり、スリングベルトの工夫に関するものである。一つは、スリングベルトをよじった状態で、つなぎ合わせて、それを８の字状に配置させて、十文字の交差した部分に物品を置き、スリングベルトの物品の上方にくる円弧状部分にフックを掛けて吊り上げる特徴のものである。他の一つは、長手方向にスリットのあるスリングベルトと一端に掛止部材が取り付けてあることが特徴で、掛止部材をスリットに挿入してスリットの両側のベルトに掛止して使用するものである。両者とも、本考案の構造とは異なるものであり、本考案に関連する先行技術は見当たらないことが分かった。【０００５】
【特許文献１】特開平１０−０２５６８２
【特許文献２】特開平１０−２７９２７５
【特許文献３】特開２００２−２１１８７６
【特許文献４】特開２００１−１５１４５８
【特許文献５】特開平７−１３７９７８
【考案の開示】
【考案が解決しょうとする課題】
【０００６】これまで、海外から輸入した数トン以上の石材、金属材等の重量物を、陸揚げして移動させる場合や重いオブジェの運搬時に、製品に傷をつけないように、スリングベルトを使用して安全に運搬する方法が確立されていなかった。とくに、球形の場合には不安定であり、チョーク吊りやバスケット吊りで、直接スリングベルトによっての運搬は困難であった。石材を入れるかごと吊り下げるスリングベルトを兼ねた簡便なものが求められていた。
【課題を解決するための手段】
【０００７】最近、芳香族ポリアミド繊維のような超高強力繊維が出現し、それを使用した超高強力スリングベルトが開発された。柔らかい有機繊維であって、金属ワイヤーに比べて軽くて高強力であり、折れることはなく、井桁構造によるスリングベルトの網かご的なもので解決する手段を考案した。すなわち、網かごが、複雑なものではなく、両端アイ構造のスリングベルトの両端のアイ部分を相互に貫通させ、井桁構造に接合したスリングベルトとする事により数トンの石材が、簡便で安定して運搬可能となる事を認めた。しかも、本考案では、球形の形状の場合でも重量物の周りで井桁をつくり貫通した４本の端のアイ部分で吊り上げて運搬する。球形の重量物の直径より小さい四角形にすることにより色々の大きさの石材に対応できるようにした。
【考案の効果】
【０００８】本考案の最大の効果は、大きさの異なる重量物に対して、一つの井桁構造のスリングベルトで対応でき、運搬者側が数多くの用具を持つ必要がなくなった。芳香族ポリアミドや芳香族ポリエステルのスリングベルトを使用すると、幅７センチメートル程度のスリングベルトで、数トンの重量物が運搬できるようになった。４本の同じ長さのスリングベルト或いは長さの異なる二組の４本のスリングベルトの組合せで、色々の形状の重量物の運搬に対応できる作業性効果は大きい。
【考案を実施するための最良の形態】
【０００９】図を用いて、最良の形態について説明する。図１は最良の形態の一つの模式図である。図１の構造のように四角の周辺にスリングベルトが伸びた構造を、本考案では井桁構造と定義した。１、２、３及び４の両端アイ形のスリングベルトによって構成された井桁構造である。スリングベルト１のアイ部分１−１は、スリングベルト４の４−２を貫通し、１−２はスリングベルト２によって１−２で貫通されている。【００１０】以下同様に、スリングベルトの２は、アイ形の一端２−１は、１の１−２を貫通し、２−２でスリングベルト３が貫通している。スリングベルト３は、３−２でスリングベルト４によって貫通されている。その結果、４本のスリングベルトのそれぞれの一端である１−１、２−１、３−１及び４−１のアイ形は、それぞれ別のスリングベルトのアイ部分を貫通し、周辺でフリーになっている。これらの４本のスリングベルトのアイ形をまとめて、吊り下げに使用する。球形の直径の大きさは、図１の四角の周りに破線で示したが、四角形より大きく、１−１、２−１、３−１及び４−１で吊り下げることが可能である。
【実施例１】
【００１１】まず、芳香族ポリエステルの超高強力繊維であるベクトランを使用して井桁構造に使用した１、２、３及び４の両端アイ形のスリングベルトについて説明する。細幅織機によりベクトランを使用して、幅７５ｍｍ、長さ４ｍの２層織のベルトを２本作成した。その両端に、５００ｍｍのアイ部分が形成されるように、ベクトランの織物を折り曲げて、５００ｍｍの縫製長さで挟みこんで３層構造に縫製して作成した。破断荷重３００ＫＮ以上のスリングベルトが得られ、これを４本使用して５トン程度の石材には、全く問題ない構成とした。【００１２】すなわち、同じ構造の両端アイ形の４本のベルトを組み合わせて図１の構造のスリングベルトを作成した。長さが同じの両端アイ形のスリングベルト１、２、３及び４から構成され、それぞれアイ形が貫通しあって図１の構造を形成している。すなわち、スリングベルト１の１−１は、スリングベルト４の４−２を貫通し、スリングベルト２の２−１によって１−２が貫通されている。スリングベルト２の２−２は、スリングベルト３の３−１により貫通されている。スリングベルト３は、３−２でスリングベルト４の４−１が貫通している。このように相互に貫通と被貫通の組合せで、図１を形成すると、１−１、２−１、３−１及び４−１のフリーなアイ形が四角の周辺に存在する。形成された井桁の四角部分に５の大きさの球形の石材を載せて、周辺の１−１、２−１、３−１及び４−１で吊り下げると安定して運搬が出来た。
【実施例２】
【００１３】実施例１で使用したスリングベルトを神社の大型燈ろうの円柱部分の運搬にも使用した。この円柱の場合、１と３のスリングベルトの長さを２と４のスリングベルトの長さより５０ｃｍ長くして、円柱形状に対応してバランスを取って運搬した。本考案は、組合せのスリングベルトの長さを変えることにより色々の重量物の形状に対応できる特徴がある。
【産業上の利用可能性】
【００１４】船から陸揚げする時や陸揚げした輸入重量物をトラックに積むときの運搬用具が簡便になった。円柱、円筒、直方体にも対応できる。運搬のむずかしい球形石材について大きさが異なっても簡単でかつ安全に吊り下げて運搬に使用できる本考案の可変性井桁構造のスリングベルトは、石材業界にとっても利用可能性の高いものである。
【図面の簡単な説明】
【００１５】
【図１】両端アイ形のスリングベルトによる新規な井桁構造のスリングベルトの模式図
【符号の説明】
【００１５】１、２、３及び４  両端アイ形の同じ長さのスリングベルト
１−１  スリングベルト４のアイ形４−２を貫通した１のスリングベルトのアイ形部分
１−２  スリングベルト２が貫通した１のスリングベルトの他の端のアイ形部分
２−１  スリングベルト１のアイ形１−２を貫通した２のアイ形部分
２−２  スリングベルト３が貫通した２のスリングベルトの他の端のアイ形部分
３−１  スリングベルト２のアイ形２−２を貫通した３のスリングベルトのアイ形部分
３−２  スリングベルト４が貫通した３のスリングベルトの他の端のアイ形部分
４−１  スリングベルト３のアイ形３−２を貫通した４のスリングベルトのアイ形部分
４−２  スリングベルト１が貫通した４のスリングベルトの他の端のアイ形部分
５  井桁構造の中心の四角形より大きい球形の石材の直径を示す円
【図１】
0003129702.tif 000003
【手続補正書】
【提出日】平成18年8月8日(2006.8.8)
【手続補正１】
【補正対象書類名】実用新案登録請求の範囲
【補正対象項目名】請求項３
【補正方法】変更
【補正の内容】
【請求項３】
スリングベルトの素材が、芳香族ポリアミド或いは芳香族ポリエステルである請求項１または２記載の新規な構造のスリングベルト
【手続補正書】
【提出日】平成18年11月28日(2006.11.28)
【手続補正１】
【補正対象書類名】明細書
【補正対象項目名】００１１
【補正方法】変更
【補正の内容】
【００１１】まず、芳香族ポリエステルの超高強力繊維であるベクトラン（登録商標）を使用して井桁構造に使用した１、２、３及び４の両端アイ形のスリングベルトについて説明する。細幅織機によりベクトラン（登録商標）を使用して、幅７５ｍｍ、長さ４ｍの２層織のベルトを２本作成した。その両端に、５００ｍｍのアイ部分が形成されるように、ベクトラン（登録商標）の織物を折り曲げて、５００ｍｍの縫製長さで挟みこんで３層構造に縫製して作成した。破断荷重３００ＫＮ以上のスリングベルトが得られ、これを４本使用して５トン程度の石材には、全く問題ない構成とした。